(57)【要約】【課題】開口部の中央あるいは中央寄りの位置で、開け閉めする適切な方法手段を得ること。 【解決手段】従来の封緘では、内蓋を拠とし、内蓋に一対の外蓋を固定する方法を取るものであった。本発明に於ける封緘では、横渡し部材を拠とし、横渡し部材に一対の外蓋を固定する方法をとるものにした。【選択図】  図４
2014151952.tif 000002
【特許請求の範囲】
【請求項１】
包装箱に横渡し部材を取り付け、然る後に封緘部材（留め具）を用いて封緘する方法（封緘方法）。
【請求項２】
包装箱に横渡し部材を取り付けること、即ち、包装箱と横渡し部材との付け合せ、あるいは組み合せ。
【請求項３】
外蓋の断面に差し込むかたちの取り付け手段をもった横渡し部材。
【請求項４】
横渡し部材と封緘部材（留め具）とを使い合せること（封緘方法）、即ち、横渡し部材と封緘部材との組み合せ。
【発明の詳細な説明】
【技術分野】
【０００１】
一対の外蓋を有する段ボール箱（などの包装箱）について、一対の外蓋同士を連結するかたちで封緘することに関す。
【０００２】
開口部の中央寄りの位置で開け閉めできる封緘具があれば便利である。
然れど、開口部の中央寄りの位置は、安定した状態に封緘するための拠（よりどころ）となる内蓋がない。
【背景技術】
【０００３】
例えば、特許文献１あるいは２に示す留め具は、内蓋のない部位で封緘する使い方には適さない。
【先行技術文献】
【特許文献】
【０００４】
【特許文献１】特許第３９９５６９１号
【特許文献２】特許第４９３３６６７号
【発明の概要】
【発明が解決しようとする課題】
【０００５】
（１）一対の外蓋同士を連結するかたちの方法手段を得ること。
（２）開口部の中央寄りの位置で開け閉めできる方法手段を得ること。
（３）堅固な状態あるいは平らな状態、即ち、一対の外蓋が合せ目でバクバクしない状態、あるいは合せ目で折れない状態（以下、このような状態を「安定した状態」と云う）に封緘できるものにする。
【課題を解決するための手段】
【０００６】
例えば、特許文献１、２に於ける封緘では、内蓋を拠とし、内蓋に外蓋を固定する方法をとるものである。
本発明に於ける封緘では、内蓋に代えて横渡し部材を拠とする方法をとるものである。
【０００７】
横渡し部材は、一対の外蓋の内側を横渡しに渡し押える部材で、一定の長さ（以下、渡し幅と云う）をもつものとした。
一定の長さとは、一対の外蓋を、概ね安定した状態に連結するに適う長さ（あるいは幅）を云う。
【０００８】
横渡し部材は、渡し幅の半分ほどを片方（例えば右方）の外蓋の内側（に張り付け状態）に取り付け、もう半分ほどを相手方（左方）の外蓋の内側に差し渡す使い方をするものである。
【０００９】
本発明を端的に云うなら、一対の外蓋を固定する（封緘する）ための拠を、内蓋でなく、横渡し部材にしたと云うことである。即ち「横渡し部材と云う新たな存在」を設けたこと、そして、横渡し部材を一対の外蓋の内側に差し渡すものとした。
因みに、封緘を決定付けるための部材（封緘部材）は、従来のもの（特許文献１、２の留め具など）を使用することができる。
【発明の効果】
【００１０】
１、開口部の中央寄り位置で開け閉めできる方法と手段を得た。
２、一対の外蓋を、しっかりした状態あるいは安定した状態に連結（封緘）することができるものとなった。
３、付け外し自在で繰り返しの使用ができるものとなった。
【図面の簡単な説明】
【００１１】
【図１】横渡し部材の１例を示す図である。
【図２】横渡し部材を段ボール箱に取り付けた様子を示す図である。
【図３】封緘部材の１例を示す図である。
【図４】封緘する過程を示す図である。
【発明を実施するための形態】
【００１２】
本発明を説明する上で、図を見たままの状態で上、下、縦、横、左、右、裏(内)、表(外)の意味を使い分ける。
図２は、本発明が対象とする段ボール箱（あるいは包装箱）である。図２は、段ボール箱の幅面（Ｃ1）、長さ面（Ｃ2）、内蓋（Ｃ3）、外蓋（Ｃ4）を説明した図でもある。
本書では、一対の外蓋を、左側と右側、即ち、左右に見るかたちで表現する。また、一対の外蓋の合せ目を、縦筋に見るかたちで表現する。
【００１３】
以下、図を追って説明する。
【００１４】
図１は、横渡し部材である。
図１(１)は、斜視図である。図１(２)は、幅側から見た（Ａ方向から見た）側面図である。図１(３)は、長さ側から見た（Ｂ方向から見た）側面図である。
【００１５】
横渡し部材は、折り曲がり難い材質のもの、あるいは折り曲がり難い形態のものが良い。
【００１６】
渡し幅は、蓋幅の大小に応じて任意に決めて良い。
例えば、開口部が３８センチ×３０センチ幅の段ボール箱（身近にあるみかん箱）の場合、即ち、片方の外蓋の横幅（外蓋の深さ）が１５センチの場合に於ける実施例では、渡し幅を１５センチ程にして一定の成果を得た。
尚、支障のない限りに於いて渡し幅は長いほど良い。
【００１７】
図１では、Ｂ方向から見る下押えの幅を、Ａ方向から見る下押えの幅よりも長幅（あるいは広幅）で示したが、一対の外蓋の内側を横渡しに据える幅は、一定の長さ（渡し幅）をもつことを主張したいためである。
即ち、Ａ方向から見る下押えの幅を限定していることではなく、任意に設定する幅であって良い。但し、封緘部材と使い合わせることを考慮することが大切である。
【００１８】
横渡し部材を片方（例えば右方）の外蓋の内側（に張り付けた状態）に取り付けるための手段は、貼り付ける、あるいは外蓋の縁に嵌め付けるなど適宜の方法によるものであって良い。
【００１９】
図１に示したものは、段ボール箱に取り付ける方法として、外蓋（の端）の断面から板厚内部の穴目（あるいは穴筋）に差し込むかたちを取ったもので、本体部（Ｄ）に差し込むための部分（Ｄ1）を備えたものである。差し込み（Ｄ1）は、複数本であっても良い。
この方法は、段ボール箱以外の包装箱に適用することはできないが、付け外しが簡便であること、繰り返し使用する上で便利であるなどの特徴をもつものである。
【００２０】
本発明は、段ボール箱に限らず他の包装箱も対象にするものである。
図１に示す横渡し部材は、外蓋に取り付ける方法手段の１例を示したものである。
本発明では、横渡し部材の取り付け方法手段について限定するものではなく、適宜の方法手段を取って良いとするものである。
【００２１】
図２は、図１に示した横渡し部材を段ボール箱に取り付けた様子を示したものである。
因みに、横渡し部材は、対象とする段ボール箱（あるいは包装箱）との付け合せ、あるいは組み合せに於いて設定をすることが大切である。
【００２２】
図３は、特許文献１及び２に於ける留め具をアレンジし、針金を折り曲げて成したものである。
因みに、本発明で使用する封緘部材（留め具）は、一対の外蓋の合せ目を通して、横渡し部材と外蓋とを挟み合せる（あるいは挟み押える）ことができる形態をもつものであれば良い。
【００２３】
特許文献１、２に於ける封緘は、封緘部材（留め具）のみで封緘する方法によるものであるが、本発明による場合は、封緘部材と横渡し部材とを使い合せる方法によるものである。
依って、横渡し部材と封緘部材（留め具）は、互に組み合せ部材として形成することが望ましい。
【００２４】
図３(１)は、針金を折り曲げて成した封緘部材の斜視図である。
図３(２)は、図３(１)を横方の側面から見た図である。
図３(３)は、図３(１)を縦方の側面から見た図である。
【００２５】
図４は、図１に示した横渡し部材と、図３に示した封緘部材（留め具）を使い合せて封緘する過程（あるいは操作）を示したものである。
【００２６】
図４(１)(３)(５)は、横渡し部材を取り付け、次いで一対の外蓋を連結する（封緘状態に据える）過程を示した図である。
図４(２)は図４(１)の状態、図４(４)は図４(３)の状態、図４(６)は図４(５)の状態を段ボール箱の幅面側から見た図（局面図）である。
【００２７】
図４(１)は、横渡し部材を片方（例えば右方）の外蓋の縁に取り付けた様子を示す図である。即ち、横渡し部材に設けた差し込み（Ｄ1）を外蓋の断面に差し込んで取り付けた状態を示した図である。また、横渡し部材の渡し幅の半分ほどを相手方（左方）に向けて差し出したかたちを取っている状態を示した図である。
図４(３)は、差し出された部分に、もう片方（左方）の外蓋を折り重ね、一対の外蓋を平らな状態にたたみ合せた様子を示した図である。
図４(５)は、一対の外蓋の合せ目から封緘部材（留め具）を差し込んで、横渡し部材と一対の外蓋とを挟み押えた状態（封緘した状態）を示した図である。
【００２８】
横渡し部材と封緘部材は、一緒に使い合せる使い方（組み合せて使用する使い方）をするものであるから、両者を紐で繋いだものにすると便利である。
【００２９】
本発明は、段ボール箱を主たる対象にしたものであるが、段ボール箱に限らず、他の包装箱にも使用できる。
尚、横渡し部材及び封緘部材は、共に、必要な機能を損なわない限り、形状、輪郭、デザイン、大きさ、形態など任意に決めて良い。
【００３０】
本発明は、全体の図（図１〜４）を通して発明の全容を説明しているものであって、個々の図で説明する具体的な技術内容によって請求項に記載する技術内容は限定されるものではない。
【産業上の利用可能性】
【００３１】
開口部の中央寄りの一箇所を封緘することで、箱全体に於ける一応の（バランスのとれた）封緘状態が得られる。
また、開口部の中央寄りに取り付けた封緘具は、荷扱いの支障（他の箱を上積みする時に引っ掛かるなどの支障) を防ぐことができ、あるいは支障を軽微にすることができ、業務用にも使用することができる。
【符号の説明】
【００３２】
段ボール箱（あるいは包装箱）
Ｃ1    幅面
Ｃ2    長さ面
Ｃ3    内蓋
Ｃ4    外蓋
横渡し部材
Ｄ     本体部（板状部分）
Ｄ1    差し込み
封緘部材（留め具）
Ｅ1    上押え
Ｅ2    連結部
Ｅ3    下押え
【図１】
2014151952.tif 000003
【図２】
2014151952.tif 000004
【図３】
2014151952.tif 000005
【図４】
2014151952.tif 000006